(57)【要約】【課題】本発明は、フェライトコアを電源ケーブルに装着する従来の様々な手法に対応可能で電子機器の外部からのノイズの流れ込みを効果的に遮断することができるフェライトコアの取付構造を提供することを目的とするものである。【解決手段】取付部材３は、ブッシュ固定部３０、コア固定部３１及び連結部３２からなる。ブッシュ固定部３０は、一対の保持体３３の内側にブッシュ４を保持して筐体２の取付穴２１に嵌め込まれている。コア固定部３１は、湾曲した基体部３６にフェライトコア６を収納し、係止部３７及び爪部３８によりフェライトコア６を安定した状態に保持している。電源ケーブル５は、ブッシュ４に設けられた保持孔４１を貫通してフェライトコア６の中心孔６０に二重に挿通されている。【選択図】図１
2005101431.tif 000002
【特許請求の範囲】
【請求項１】
電源ケーブルを貫通させて保持する保持孔が形成されるとともに筐体の取付穴に固定されるケーブル固定部と、前記電源ケーブルに流れるノイズを吸収するフェライトコアを前記筐体内において前記電源ケーブルに装着されるように保持するコア固定部と、該コア固定部を前記ケーブル固定部に近接して連結する連結部と備えていることを特徴とするフェライトコアの取付構造。
【請求項２】
前記連結部は、前記ケーブル固定部における前記電源ケーブルの貫通方向に沿って前記電源ケーブルが前記コア固定部に保持されるように前記コア固定部及び前記ケーブル固定部を一体化して連結することを特徴とする請求項１に記載のフェライトコアの取付構造。
【請求項３】
前記連結部は、前記ケーブル固定部に設けられた係止穴と前記コア固定部に形成された前記電源ケーブルの挿通孔との間を通して結束された紐状体からなることを特徴とする請求項１に記載のフェライトコアの取付構造。
【請求項４】
前記連結部は、前記ケーブル固定部において前記筐体内に向かって突設されるとともに前記コア固定部が引掛け可能なフックからなることを特徴とする請求項１に記載のフェライトコアの取付構造。
【発明の詳細な説明】
【技術分野】
【０００１】
本発明は、電子機器の内部又は外部で発生したノイズを吸収するために電源ケーブルに装着されるフェライトコアの取付構造に関する。
【背景技術】
【０００２】
電源ケーブルに装着されるフェライトコアは重量が大きいため、従来よりその取付方法に様々な改良工夫がなされている。例えば、特許文献１には、電子機器の本体とカバーとを接続するコードに遊挿可能に配設されたダクトにフェライトコアを取り付けた点が記載されている。また、特許文献２には、筐体に固定されたケーブルブッシュにフェライトコアを内蔵させた点が記載されている。また、特許文献３には、開閉可能に形成されたケース部に２分割されたフェライトコアを収納して保持する保持ケースからなる雑音電流吸収ブッシュが記載されている。また、特許文献４には、フェライトコアを覆うカバーにやじり状の固定部を設け、固定板に形成された穴に固定部を挿入してフェライトコアを固定する点が記載されている。
【特許文献１】実開平５−７７９１５号公報
【特許文献２】実開平６−８４６３５号公報
【特許文献３】特開平７−２７３４８５号公報
【特許文献４】特開平１１−２０４９８０号公報
【発明の開示】
【発明が解決しようとする課題】
【０００３】
上述した特許文献１から３に記載されているように、ケーブル用ブッシュやダクトにフェライトコアを内蔵させると、例えば図９に示すようにフェライトコア１００にケーブル１０１を二重に巻きつける場合には用いることができない。また、ケーブル自体は規格化されているためそれに合わせてブッシュも規格化することができるが、フェライトコアについては特に規格化されていないため、ブッシュをフェライトコアに合わせて設計しなおす必要があり、さらにブッシュを固定する電子機器の筐体の取付穴についてもブッシュに合わせて設計する必要がある。したがって、フェライトコアに合わせて製造する手間がかかり、そのためのコスト負担が大きくならざるを得ない。
【０００４】
また、特許文献４に記載されているように、電子機器の筐体に設けられたケーブルの取出口から離れた位置でフェライトコアをケーブルに装着すると、筐体外部からのノイズが筐体内に流れ込みやすくなる。図１０では、フェライトコア１００をカバー１０２で保持して筐体１０３の内部に固定しているが、ケーブル１０１の取出口であるブッシュ１０４からフェライトコア１００までのケーブル部分Ａからノイズが放射するため、筐体１０３の内部にノイズが流れ込んでしまう。そして、フェライトコアを固定するために別途筐体に穴を形成する等の工程が必要となり、コストアップにつながることになる。
【０００５】
そこで、本発明は、フェライトコアを電源ケーブルに装着する従来の様々な手法に対応可能で電子機器の外部からのノイズの流れ込みを効果的に遮断することができるフェライトコアの取付構造を提供することを目的とするものである。
【課題を解決するための手段】
【０００６】
本発明に係るフェライトコアの取付構造は、電源ケーブルを貫通させて保持する保持孔が形成されるとともに筐体の取付穴に固定されるケーブル固定部と、前記電源ケーブルに流れるノイズを吸収するフェライトコアを前記筐体内において前記電源ケーブルに装着されるように保持するコア固定部と、該コア固定部を前記ケーブル固定部に近接して連結する連結部と備えていることを特徴とする。
【０００７】
さらに、前記連結部は、前記ケーブル固定部における前記電源ケーブルの貫通方向に沿って前記電源ケーブルが前記コア固定部に保持されるように前記コア固定部及び前記ケーブル固定部を一体化して連結することを特徴とする。
【０００８】
さらに、前記連結部は、前記ケーブル固定部に設けられた係止穴と前記コア固定部に形成された前記電源ケーブルの挿通孔との間を通して結束された紐状体からなることを特徴とする。
【０００９】
さらに、前記連結部は、前記ケーブル固定部において前記筐体内に向かって突設されるとともに前記コア固定部が引掛け可能なフックからなることを特徴とする。
【発明の効果】
【００１０】
上記のような構成を有することで、電源ケーブルを保持するケーブル固定部とフェライトコアを保持するコア固定部を分けて構成しているので、例えばフェライトコアに電源ケーブルを二重巻きするといった装着方法にも対応可能であり、さらにコア固定部をケーブル固定部に近接して連結する連結部を設けているので、ケーブル固定部に近接した位置にフェライトコアを配置して筐体外部からのノイズを吸収することができ、筐体内部へのノイズの流れ込みを効果的に遮断することが可能となる。また、フェライトコアを固定するために別途筐体に固定穴等を形成する必要がなくなる。
【００１１】
さらに、ケーブル固定部における電源ケーブルの貫通方向に沿って電源ケーブルがコア固定部に保持されるようにコア固定部及びケーブル固定部を一体化して連結すれば、ケーブル固定部での電源ケーブルの不用意な折れ曲がりを防止するとともに、コア固定部及びケーブル固定部が一体化されているので取付作業を効率化することができる。
【００１２】
さらに、ケーブル固定部に係止穴を設け、コア固定部に形成された電源ケーブルの保持孔部との間を紐状体通して結束することで連結すれば、ケーブル固定部及びコア固定部を容易に連結することができるとともに、両者を近接した位置に保持することが可能となる。同様に、ケーブル固定部に筐体内に向かってフックを突設し、このフックにコア固定部を引掛けて連結すれば、容易に連結でき取付作業が効率化するとともに両者を近接した位置に保持できる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る実施形態を示す概略斜視図である。また、図２及び図３は、それぞれその側面図及び上面図を示している。取付構造１は、電子機器の筐体２に嵌め込まれる取付部材３と、電源ケーブル５が貫通して保持されるブッシュ４と、フェライトコア６とからなる。
【００１５】
取付部材３は、ブッシュ４を保持するブッシュ固定部３０と、フェライトコア６を保持するコア固定部３１と、両固定部を一体として連結する連結部３２とからなる。
【００１６】
ブッシュ固定部３０には、一対の保持体３３が底部の両側に立設している。保持体３３の内側には、ブッシュ４の両縁部に形成された溝４０と嵌合するレール部３４がそれぞれ設けられており、保持体３３の外側には、筐体２の側面板２０に設けられた取付穴２１に嵌合する溝３５が設けられている。そして、ブッシュ固定部３０の底部が連結部３２と連続して一体化している。
【００１７】
コア固定部３１は、軸方向に上下に分割した半円筒状に湾曲形成された基体部３６を有しており、その中にフェライトコア６のほぼ下半分が収納されて保持される。基体部３６の軸方向の両側には、基体部３６の周縁に沿って係止部３７が設けられており、基体部３６の側端部にはそれぞれ爪部３８が突設されている。したがって、フェライトコア６は、基体部３６内に収納されると、爪部３８により上方への移動が規制され、係止部３７により軸方向への移動が制限されるため、安定して保持されるようになる。基体部３６の底部は連結部３２と一体化して連結している。
【００１８】
ブッシュ４は、ほぼ中央部分に電源ケーブル５が貫通して保持される保持孔４１が穿設されており、上述したようにブッシュ固定部３０に嵌め込まれて安定した状態で保持される。
【００１９】
フェライトコア６は、鉄を主成分とする材料からなり、円柱状に成形されている。フェライトコア６の軸方向の中心部分には、電源ケーブル５を挿通するための中心孔６０が貫通して設けられている。そして、ブッシュ４に穿設された保持孔４１における電源ケーブル５の貫通方向に沿って中心孔６０が配置されるように、フェライトコア６はコア固定部３１に保持されている。
【００２０】
以上の説明から明らかなように、上記の実施形態では、ブッシュ４及びブッシュ固定部３０がケーブル固定部を構成し、コア固定部３１及び連結部３２がそれぞれコア固定部及び連結部に相当する。そして、フェライトコア６の中心孔６０が電源ケーブル５のブッシュ４における貫通方向に沿うように配置されているため、フェライトコア６をブッシュ４に十分近接した位置に配置することができることから、コア固定部３１は、ブッシュ固定部３０に十分近接した位置に配置される。
【００２１】
次に、別の実施形態について説明する。図４は、その概略側面図を示しており、図５は、上面図を示している。ブッシュ固定部３０は、図１と同様に筐体２に嵌め込まれ、内側にブッシュ４を保持している。ブッシュ固定部３０の筐体内側には係止穴が形成されたリング状の係止部３９が突設されている。そして、コア固定部は、図６に示すようにフェライトコア６全体を被覆するカバー部材７０からなり、カバー部材７０の軸方向の中心部分にはフェライトコア６の中心孔６０とほぼ一致するように挿通孔７１が穿設されている。したがって、電源ケーブル５は、中心孔６０及び挿通孔７１を通って保持されるようになる。また、連結部である紐状体８は、係止部３９の係合穴、中心孔６０及び挿通孔７１を挿通して結束されており、フェライトコア６をブッシュ固定部３０の近接した位置に保持することができる。
【００２２】
また、図７及び図８は、図４に示した実施形態の変形例に関する概略側面図及びその上面図を示している。この例では、連結部としてフック９を用いている。フック９は、弓状に湾曲しており、基端部がブッシュ固定部３０の底部に固定されており、先端部９０は上方に向かって延びるように形成されている。先端部９０は、上述したカバー部材７０の挿通孔７１及びフェライトコア６の中心孔６０に下方から挿入されてカバー部材７０及びフェライトコア６をブッシュ固定部３０に近接した位置に保持するようになっている。
【００２３】
以上説明した例では、いずれもブッシュ固定部３０にコア固定部を連結しているので、筐体２の側面板２０に別途コア固定部を固定するための加工（取付穴の穿設、取付用突起部の形成等）を行う必要がなく、また、取付構造を筐体２に装着する際には嵌め込むだけで簡単に装着することができ、生産効率を高めることが可能となる。
【図面の簡単な説明】
【００２４】
【図１】本発明に係る実施形態に関する概略斜視図である。
【図２】図１の側面図である。
【図３】図１の上面図である。
【図４】本発明に係る別の実施形態に関する概略側面図である。
【図５】図４の上面図である。
【図６】図４のコア固定部の概略斜視図である。
【図７】図４に示す実施形態の変形例に関する概略側面図である。
【図８】図７の上面図である。
【図９】従来例に関する説明図である。
【図１０】別の従来例に関する説明図である。
【符号の説明】
【００２５】
１    取付構造
２    筐体
３    取付部材
30    ブッシュ固定部
31    コア固定部
32    連結部
４    ブッシュ
５    電源ケーブル
６    フェライトコア
70    カバー部材
８    紐状体
９    フック
【図１】
2005101431.tif 000003
【図２】
2005101431.tif 000004
【図３】
2005101431.tif 000005
【図４】
2005101431.tif 000006
【図５】
2005101431.tif 000007
【図６】
2005101431.tif 000008
【図７】
2005101431.tif 000009
【図８】
2005101431.tif 000010
【図９】
2005101431.tif 000011
【図１０】
2005101431.tif 000012